(57)【要約】【課題】社寺建築の意匠（美観）を維持しつつ、確実に免震化を図ることを可能にする社寺建築用エキスパンションジョイント構造を提供する。【解決手段】社寺建築用エキスパンションジョイント構造Ｂを、一方の通路１と他方の通路２に架設されたエキスパンションジョイント床１０と、エキスパンションジョイント床１０の側部側に配設されたエキスパンションジョイント高欄１１とを備えて構成する。また、エキスパンションジョイント高欄１１を、一対の支柱１２、１３と、一対の支柱１２、１３に支持されて横方向Ｔ１に架設された横桟部材１４とを備えて構成する。そして、一対の支柱１２、１３をそれぞれ、軸線Ｏ１、Ｏ２周りに回動自在に設けるとともに、少なくとも一方の支柱１２を横方向Ｔ２に移動自在に設ける。さらに、横桟部材１４を、伸縮自在に形成するとともに、少なくとも一方の支柱１２に回動自在に端部を繋げて設ける。【選択図】図１
2011094343.tif 000002
【特許請求の範囲】
【請求項１】
社寺建築の建物外周に設けられた一方の通路と、該一方の通路を延長するように設けられた他方の通路とを繋ぐ社寺建築用エキスパンションジョイント構造であって、
前記一方の通路と前記他方の通路の間の隙間の大小変化に追随するように前記一方の通路と前記他方の通路に架設されたエキスパンションジョイント床と、該エキスパンションジョイント床の側部側に配設されたエキスパンションジョイント高欄とを備えており、
前記エキスパンションジョイント高欄は、前記一方の通路と前記他方の通路のそれぞれに立設された一対の支柱と、該一対の支柱に支持されて横方向に架設された横桟部材とを備えて構成され、
前記一対の支柱はそれぞれ、前記支柱全体が上下方向の軸線周りに回動自在に設けられるとともに、少なくとも一方の支柱が横方向に移動自在に設けられ、
前記横桟部材は、横方向に伸縮自在に形成されるとともに、少なくとも前記一方の支柱に前記軸線周りに回動自在に端部を繋げて設けられていることを特徴とする社寺建築用エキスパンションジョイント構造。
【請求項２】
請求項１記載の社寺建築用エキスパンションジョイント構造において、
前記横桟部材は、前記一対の支柱のそれぞれに繋げて支持された筒状の一対の支持部と、前記一対の支持部のそれぞれの内孔に端部側が進退自在に挿通支持された伸縮部とを備えて構成され、
前記一対の支持部には、前記伸縮部の前記内孔からの進出量を規制するための係止部材が設けられていることを特徴とする社寺建築用エキスパンションジョイント構造。
【請求項３】
請求項１または請求項２に記載の社寺建築用エキスパンションジョイント構造において、
前記横桟部材には、前記エキスパンションジョイント床の通路面側に配されるとともに前記横桟部材に沿って延設され、前記横桟部材の伸縮に応じて横方向に伸縮する手摺り部材が設けられていることを特徴とする社寺建築用エキスパンションジョイント構造。
【請求項４】
請求項１から請求項３のいずれかに記載の社寺建築用エキスパンションジョイント構造において、
前記横桟部材は、前記端部に向かうに従い漸次断面が小となるように面取り部を備えて形成されていることを特徴とする社寺建築用エキスパンションジョイント構造。
【発明の詳細な説明】
【技術分野】
【０００１】
本発明は、社寺建築用エキスパンションジョイント構造に関する。
【背景技術】
【０００２】
従来、地震時に数十ｃｍオーダーの変形に対応できるように建物の床や渡り廊下、手摺り等にエキスパンションジョイント構造を設けて、建物の免震化を図ることが行われている（例えば、特許文献１参照）。そして、通常の用途建物の場合には、一般に、信頼性が高く、バリエーションが豊富な既製品のエキスパンションジョイントの中から設置場所に合うエキスパンションジョイントを選択して設置するようにしている。
【０００３】
また、手摺りのエキスパンションジョイント構造Ａには、例えば図７及び図８に示すように、一方の通路１と他方の通路２にそれぞれ立設された一対の支柱３、４と、一方の支柱３（他方の支柱４）に一端を繋ぎ、他方の支柱４（一方の支柱３）に向け、他端と支柱４（３）の間に所定の隙間Ｈ１をあけて横方向Ｔ１に延設された手摺り部材５とを備えて構成したものがある。さらに、図８の手摺りのエキスパンションジョイント構造Ａにおいては、手摺り部材５の一端が繋がる支柱３の一部が上下方向Ｔ２に延びる軸線Ｏ１周りに回動自在とされている。また、この手摺り部材５は、常時回動することがないように、他端と支柱４の間に隙間Ｈ１を設け、且つこの他端が止め治具６を介して支柱４に繋げられている。そして、これらの手摺りのエキスパンションジョイント構造Ａにおいては、手摺り部材５の他端と支柱３、４の間の隙間Ｈ１によって、また、手摺り部材５が繋がる支柱３の一部が回動することによって、地震時の変形を吸収することができる。
【先行技術文献】
【特許文献】
【０００４】
【特許文献１】特開平１０−１８４４４号公報
【発明の概要】
【発明が解決しようとする課題】
【０００５】
一方、社寺建築においても、エキスパンションジョイントを設けて免震化を図る場合があるが、社寺建築は、通常の用途建物と異なる伝統的な様式の建物であり、すなわち建物周囲に縁廊下等があり、高欄と呼ばれる特徴的な形態の手摺りが巡っている。そして、このような通常の用途建物と異なる縁廊下や手摺り等が日本建築特有の意匠を構成しているため、従来のエキスパンションジョイント構造Ａをそのまま採用して免震化を図ると、日本建築特有の意匠（美観）を損なうという問題がある。
【０００６】
本発明は、上記事情に鑑み、社寺建築の意匠（美観）を維持しつつ、確実に免震化を図ることを可能にする社寺建築用エキスパンションジョイント構造を提供することを目的とする。
【課題を解決するための手段】
【０００７】
上記の目的を達するために、この発明は以下の手段を提供している。
【０００８】
本発明の社寺建築用エキスパンションジョイント構造は、社寺建築の建物外周に設けられた一方の通路と、該一方の通路を延長するように設けられた他方の通路とを繋ぐ社寺建築用エキスパンションジョイント構造であって、前記一方の通路と前記他方の通路の間の隙間の大小変化に追随するように前記一方の通路と前記他方の通路に架設されたエキスパンションジョイント床と、該エキスパンションジョイント床の側部側に配設されたエキスパンションジョイント高欄とを備えており、前記エキスパンションジョイント高欄は、前記一方の通路と前記他方の通路のそれぞれに立設された一対の支柱と、該一対の支柱に支持されて横方向に架設された横桟部材とを備えて構成され、前記一対の支柱はそれぞれ、前記支柱全体が上下方向の軸線周りに回動自在に設けられるとともに、少なくとも一方の支柱が横方向に移動自在に設けられ、前記横桟部材は、横方向に伸縮自在に形成されるとともに、少なくとも前記一方の支柱に前記軸線周りに回動自在に端部を繋げて設けられていることを特徴とする。
【０００９】
この発明においては、エキスパンションジョイント床が、一方の通路と他方の通路の間の隙間の大小変化に追随するため、地震によって変形が生じた場合においても確実に一方の通路と他方の通路を連続した状態で維持することが可能になる。また、エキスパンションジョイント高欄が、一方の通路と他方の通路の間の隙間の大小変化に支柱全体の回動と横桟部材の伸縮によって追随するため、地震によって変形が生じた場合においても、確実に一方の通路と他方の通路に架設した状態で維持することが可能になる。これにより、社寺建築の免震化を図ることが可能になる。
【００１０】
また、エキスパンションジョイント高欄の横桟部材が伸縮自在に形成されているため、横桟部材の両端部をそれぞれ一対の支柱に繋げて設けることができ、図７や図８に示した従来のエキスパンションジョイントのように、手摺り部材の他端と支柱の間に隙間が生じたり、支柱の途中に回転スリット（図８の符号７）が見えたり、見栄えの悪い止め治具を設ける必要がなく、社寺建築の意匠（美観）を損なうことがない。また、止め治具で手摺り部材の他端を支柱に繋ぐことで、通常より太い手摺り部材を用いて所要の強度を確保することも不要になり、この点からも社寺建築の意匠を損なうことがない。
【００１１】
また、本発明の社寺建築用エキスパンションジョイント構造において、前記横桟部材は、前記一対の支柱のそれぞれに繋げて支持された筒状の一対の支持部と、前記一対の支持部のそれぞれの内孔に端部側が進退自在に挿通支持された伸縮部とを備えて構成され、前記一対の支持部には、前記伸縮部の前記内孔からの進出量を規制するための係止部材が設けられていることが望ましい。
【００１２】
この発明においては、一対の支持部と伸縮部が閂構造となり、地震時に一方の通路と他方の通路の間の隙間が大小変化した場合に、一対の支持部に対し伸縮部が進退して変形に追随させることが可能になる。また、一対の支持部に係止部材が設けられていることによって、伸縮部が一対の支持部から抜け落ちることを防止できる。これにより、地震時に、手摺りとして面外方向の力に抵抗させることが可能になるとともに、確実に一方の通路と他方の通路に架設した状態で維持することが可能になる。
【００１３】
さらに、本発明の社寺建築用エキスパンションジョイント構造において、前記横桟部材には、前記エキスパンションジョイント床の通路面側に配されるとともに前記横桟部材に沿って延設され、前記横桟部材の伸縮に応じて横方向に伸縮する手摺り部材が設けられていることがより望ましい。
【００１４】
この発明においては、横桟部材を支持材として、手摺り部材を別途横桟部材の手前側（エキスパンションジョイント床の通路面側）に設けることにより、手摺り（高欄）としての機能を向上させることが可能になる。そして、このように手摺り部材を設けた場合であっても、横桟部材に隠れて外側から手摺り部材が見えにくく、社寺建築の意匠を損なうようなことがない。さらに、手摺り部材が伸縮自在に形成されているため、地震時に一方の通路と他方の通路の間の隙間が大小変化した場合に、横桟部材の伸縮に応じて手摺り部材が伸縮し、横桟部材に追随させることが可能になる。なお、この手摺り部材を握り易い細めの丸断面形状で形成し、横桟部材に差し込んで取り付けるように構成することで、握った時の材の遊びを感じさせることがなく、手摺りとして好適に利用することが可能になる。
【００１５】
また、本発明の社寺建築用エキスパンションジョイント構造において、前記横桟部材は、前記端部に向かうに従い漸次断面が小となるように面取り部を備えて形成されていることがさらに望ましい。
【００１６】
この発明においては、地震時に（変形時に）支柱が回動し、また、横桟部材が支柱に対して回動することで、支柱に取り付く横桟部材同士が鋭角で近づくことになるが、横桟部材の端部に面取り部が設けられていることにより、横桟部材同士がぶつかって破損することを防止できる。
【発明の効果】
【００１７】
本発明の社寺建築用エキスパンションジョイント構造においては、エキスパンションジョイント床が一方の通路と他方の通路の間の隙間の大小変化に追随し、エキスパンションジョイント高欄が、一方の通路と他方の通路の間の隙間の大小変化に支柱全体の回動と横桟部材の伸縮によって追随するため、地震によって変形が生じた場合においても確実に通路を連続した状態、高欄を架設した状態で維持することが可能になる。また、エキスパンションジョイント高欄の横桟部材が伸縮自在に形成されているため、従来のエキスパンションジョイントのように、手摺り部材の他端と支柱の間に隙間が生じたり、支柱の途中に回転スリットが見えることがない。
【００１８】
これにより、社寺建築の意匠（美観）を損なうことなく、社寺建築の免震化を図ることが可能になる。
【図面の簡単な説明】
【００１９】
【図１】本発明の一実施形態に係る社寺建築用エキスパンションジョイント構造を示す側断面図である。
【図２】本発明の一実施形態に係る社寺建築用エキスパンションジョイント構造を示す平面図である。
【図３】本発明の一実施形態に係る社寺建築用エキスパンションジョイント構造を模式的に示した図（側面図）である。
【図４】図３のＸ１−Ｘ１線矢視図である。
【図５】図３のＸ２−Ｘ２線矢視図である。
【図６】横桟部材の面取り部を拡大して示した図である。
【図７】従来の手摺りのエキスパンションジョイント構造を示す図である。
【図８】従来の手摺りのエキスパンションジョイント構造を示す図である。
【発明を実施するための形態】
【００２０】
以下、図１から図６を参照し、本発明の一実施形態に係る社寺建築用エキスパンションジョイント構造について説明する。本実施形態では、本堂（建物）の外周に設けられた既存の縁廊下などの一方の通路に対し、この一方の通路に繋げて外側に延びる他方の通路を増設するにあたり、本堂側と増設側の接続部に本発明の社寺建築用エキスパンションジョイント構造を適用した例を示す。
【００２１】
本実施形態の社寺建築用エキスパンションジョイント構造Ｂは、図１及び図２に示すように、本堂側の一方の通路１と増設側の他方の通路２に架設されたエキスパンションジョイント床１０と、このエキスパンションジョイント床１０の両側部側にそれぞれ配設されたエキスパンションジョイント高欄１１とを備えて構成されている。
【００２２】
エキスパンションジョイント床１０は、平板状に形成され、一方の通路１と他方の通路２の互いの通路面を滑らかに繋ぐように架設して、一方の通路１と他方の通路２の間に設けた所定の隙間Ｈ２の上に配設されている。そして、このエキスパンションジョイント床１０は、地震によって一方の通路１（本堂側）と他方の通路２（増設側）が相対的に変位した際に、横方向Ｔ１にスライド移動（床スライド方向Ｍ；図２参照）するなどして一方の通路１と他方の通路２の間の隙間Ｈ２の大小変化に追随し、一方の通路１と他方の通路２を連続した状態で維持するように構成されている。
【００２３】
一方、エキスパンションジョイント高欄１１は、図１から図３に示すように、一方の通路１と他方の通路２のそれぞれに立設された一対の支柱（宝珠柱）１２、１３と、この一対の支柱１２、１３に支持されて横方向Ｔ１に架設された複数の横桟部材１４とを備えて構成されている。
【００２４】
一対の支柱１２、１３はそれぞれ、図３に示すように、根元から支柱１２、１３全体が上下方向Ｔ２に延びる軸線Ｏ１、Ｏ２周りに回動自在に設けられている。また、本実施形態において、一方の通路１側に設けられた一方の支柱１２は、図２に示すように、支柱１３に対して相対的に横方向Ｔ１にスライド移動自在に設けられている。
【００２５】
横桟部材１４は、図１から図３に示すように、一方の支柱１２と他方の支柱１３にそれぞれ繋げて支持された筒状の一対の支持部１４ａ、１４ｂと、一対の支持部１４ａ、１４ｂのそれぞれの内孔に一端側、他端側（端部側）が進退自在に挿通支持された伸縮部１４ｃとを備えて、横方向Ｔ１に伸縮自在（伸縮部の進退方向、伸縮方向Ｎ）に形成されている。また、この横桟部材１４は、一方の通路１側に設けられた支柱１２に端部（一方の支柱１２に繋がる一方の支持部１４ａの端部）をこの支柱１２の軸線Ｏ１周りに回動自在に繋げて設けられている。また、最下段の横桟部材１４は、通常、床面に接地する形状となるが、エキスパンションジョイント床１０の跳ね上がりを考慮して、エキスパンションジョイント床１０との間に隙間が設けてあり、意匠上問題がなく、且つ地震時に、詳細を後述するエキスパンションジョイント高欄１１の支柱１２、１３部分が回動してどのような位置状態となっても、高欄１１／床１０ともに、破損又は破損による落下がないように考慮して形成されている。
【００２６】
また、本実施形態では、図１及び図３に示すように、一対の支持部１４ａ、１４ｂに脱落防止用ボルト（係止部材）１５が取り付けられており、この脱落防止用ボルト１５及び脱落防止用ボルト１５を差し込むルーズホールによって一対の支持部１４ａ、１４ｂの内孔からの伸縮部１４ｃの進出量が規制されている。すなわち、脱落防止用ボルト１５によって支持部１４ａ、１４ｂから伸縮部１４ｃが脱落することが防止されている。なお、脱落防止用ボルト１５は、一方の支持部１４ａ（１４ｂ）にのみ設けてもよく、また、一対の支持部１４ａ、１４ｂに設ける場合には、少なくとも一方の脱落防止用ボルト１５を差し込む孔がルーズホールとされていればよい。
【００２７】
さらに、この横桟部材１４には、図４及び図５に示すように、横桟部材１４を支持材として、横桟部材１４の手前側（すなわちエキスパンションジョイント床１０の通路面側）に配されるとともに、横桟部材１４に沿って延設された手摺り部材１６が別途取り付けられている。この手摺り部材１６は、横桟部材１４の一対の支持部１４ａ、１４ｂに取り付けて支持され、横桟部材１４の伸縮に応じて横方向Ｔ１に伸縮自在に形成されている。さらに、手摺り部材１６は、握りやすい細めの丸断面形状で形成されており、横桟部材１４に差し込んで取り付けられ、握った時の材の遊びを感じさせることがないように設けられている。そして、横桟部材１４を強固なもの（しっかりとしたもの）にしておくことで、この横桟部材１４を下地にして細くて遊びのない手摺り（手摺り部材１６）を別途も受けることが可能になる。
【００２８】
また、本実施形態の横桟部材１４は、図６に示すように、一方の支持部１４ａが端部に向かうに従い漸次断面が小となるように面取り部１７を備えて形成されている。
【００２９】
そして、このように構成したエキスパンションジョイント高欄１１は、一対の支柱１２、１３がそれぞれ軸線Ｏ１、Ｏ２周りに回動自在とされているため、また、一対の支持部１４ａ、１４ｂと伸縮部１４ｃが閂構造となるため、地震時に一方の通路１と他方の通路２の間の隙間が大小変化した場合に、一対の支柱１２、１３が回動し、一対の支持部１４ａ、１４ｂに対し伸縮部１４ｃが進退することによって、変形に追随する。すなわち、一方の通路１と他方の通路２の間の隙間Ｈ２の大小変化に支柱１２、１３全体の回動と横桟部材１４の伸縮によって追随する。このため、地震によって変形が生じた場合においても、確実に一方の通路１と他方の通路２に架設した状態で維持される。
【００３０】
また、このとき、横桟部材１４が伸縮自在に形成されていることで、横桟部材１４の両端部をそれぞれ一対の支柱１２、１３に繋げて設けることが可能になり、図７や図８に示した従来のエキスパンションジョイントのように、手摺り部材の他端と支柱の間に隙間が生じたり、支柱の途中に回転スリットが見えることがなく、社寺建築の意匠（美観）を損なうことがない。
【００３１】
また、一対の支持部１４ａ、１４ｂに脱落防止用ボルト１５が設けられていることによって、伸縮部１４ｃが一対の支持部１４ａ、１４ｂから抜け落ちることがない。これにより、エキスパンションジョイント高欄１１は、地震時に、手摺りとして面外方向の力に抵抗するとともに、確実に一方の通路１と他方の通路２に架設した状態で維持される。
【００３２】
さらに、手摺り部材１６を横桟部材１４の手前側に設けることにより、横桟部材１４に隠れて外側から手摺り部材１６が見えにくく、社寺建築の意匠を損なうようなことがない。また、この手摺り部材１６においても、伸縮自在に形成されていることで、地震時に一方の通路１と他方の通路２の間の隙間Ｈ２が大小変化した場合に、横桟部材１４の伸縮に応じて伸縮し、横桟部材１４に追随する。また、手摺り部材１６を握り易い細めの丸断面形状で形成し、横桟部材１４に差し込んで取り付けるように構成することで、握った時の材の遊びを感じさせることがなく、手摺りとして好適に利用される。
【００３３】
さらに、地震時に支柱１２、１３が回動し、横桟部材１４が支柱１２に対して回動すると、図６に示すように、支柱１２に取り付く横桟部材１４、１８同士が鋭角で近づくことになるが、横桟部材１４の端部に面取り部１７が設けられていることによって、横桟部材１４、１８同士がぶつかって破損することが防止される。
【００３４】
したがって、本実施形態の社寺建築用エキスパンションジョイント構造Ｂにおいては、エキスパンションジョイント床１０が、隙間Ｈ２の大小変化に追随するため、地震によって変形が生じた場合においても確実に一方の通路１と他方の通路２を連続した状態で維持することが可能になる。また、エキスパンションジョイント高欄１１が、隙間Ｈ２の大小変化に支柱１２、１３全体の回動と横桟部材１４の伸縮によって追随するため、地震によって変形が生じた場合においても、確実に一方の通路１と他方の通路２に架設した状態で維持することが可能になる。これにより、社寺建築の免震化を図ることが可能になる。
【００３５】
また、エキスパンションジョイント高欄１１の横桟部材１４が伸縮自在に形成されているため、横桟部材１４の両端部をそれぞれ一対の支柱１２、１３に繋げて設けることができ、社寺建築の意匠（美観）を損なうことがない。
【００３６】
さらに、本実施形態の横桟部材１４は、一対の支持部１４ａ、１４ｂと伸縮部１４ｃとにより閂構造が構成されることになるため、隙間Ｈ２が大小変化した場合に、一対の支持部１４ａ、１４ｂに対し伸縮部１４ｃが進退して変形に追随させることが可能になる。また、一対の支持部１４ａ、１４ｂに脱落防止用ボルト（係止部材）１５が設けられていることによって、伸縮部１４ｃが一対の支持部１４ａ、１４ｂから抜け落ちることを防止できる。これにより、地震時に、手摺りとして面外方向の力に抵抗させることが可能になるとともに、確実に一方の通路１と他方の通路２に架設した状態で維持することが可能になる。
【００３７】
さらに、手摺り部材１６を別途横桟部材１４の手前側に設けることにより、手摺り（高欄）としての機能を向上させることが可能になる。そして、このように手摺り部材１４を設けた場合であっても、横桟部材１４に隠れて外側から手摺り部材１６が見えにくく、社寺建築の意匠を損なうようなことがない。さらに、手摺り部材１６が伸縮自在に形成されているため、隙間Ｈ２が大小変化した場合に、横桟部材１４の伸縮に応じて手摺り部材１６が伸縮し、横桟部材１４に追随させることが可能になる。また、本実施形態のように手摺り部材１６を握り易い細めの丸断面形状で形成し、横桟部材１４に差し込んで取り付けるように構成した場合には、握った時の材の遊びを感じさせることがなく、手摺りとして好適に利用することが可能になる。
【００３８】
また、横桟部材１４の端部に面取り部１７が設けられていることにより、横桟部材１４、１８同士がぶつかって破損することを防止できる。
【００３９】
よって、本実施形態の社寺建築用エキスパンションジョイント構造Ｂによれば、社寺建築の意匠（美観）を損なうことなく、好適に社寺建築の免震化を図ることが可能になる。
【００４０】
以上、本発明に係る社寺建築用エキスパンションジョイント構造の一実施形態について説明したが、本発明は上記の実施形態に限定されるものではなく、その趣旨を逸脱しない範囲で適宜変更可能である。
【符号の説明】
【００４１】
１      一方の通路
２      他方の通路
１０    エキスパンションジョイント床
１１    エキスパンションジョイント高欄
１２    一方の支柱（宝珠柱）
１３    他方の支柱（宝珠柱）
１４    横桟部材
１４ａ  一方の支持部
１４ｂ  他方の支持部
１４ｃ  伸縮部
１５    脱落防止用ボルト（係止部材）
１６    手摺り部材
１７    面取り部
Ａ      従来のエキスパンションジョイント構造
Ｂ      社寺建築用エキスパンションジョイント構造
Ｈ２    一方の通路と他方の通路の間の隙間
Ｍ      床スライド方向
Ｎ      伸縮方向
Ｏ１    一方の支柱の軸線
Ｏ２    他方の支柱の軸線
Ｔ１    横方向
Ｔ２    上下方向
【図１】
2011094343.tif 000003
【図２】
2011094343.tif 000004
【図３】
2011094343.tif 000005
【図４】
2011094343.tif 000006
【図５】
2011094343.tif 000007
【図６】
2011094343.tif 000008
【図７】
2011094343.tif 000009
【図８】
2011094343.tif 000010